(57)【要約】【課題】不要な電力消費を抑えつつ組電池の性能低下を抑制すること。【解決手段】加振装置１０は、直列接続された複数の電池セル２０Ａで構成される走行用バッテリ２０を加振する。加振手段１０６は、セル電圧が所定の上限電圧以上である電圧制御対象セルの電力を用いて、加振対象セルに振動を加える。加振対象セルとしては、電圧制御対象セル以外の電池セル２０Ａ、特にセル電圧が所定の下限電圧以下である電池セル２０Ａが選択される。これにより、電池セル２０Ａ間の電圧バラつきの解消および加振対象電池セルの性能低下の抑制を図れる。【選択図】図１
2015185501.tif 000002
【特許請求の範囲】
【請求項１】
複数の電池セルで構成される組電池を加振する加振装置であって、
それぞれの前記電池セルのセル電圧を検知し、セル電圧が所定の上限電圧以上である電圧制御対象セルを選択する電圧制御対象セル選択手段と、
前記電圧制御対象セルに蓄積された電力を用いて前記電池セルに対して振動を加える加振手段と、
を備えることを特徴とする加振装置。
【請求項２】
前記加振手段は、それぞれの前記電池セルに個別に取り付けられ、
前記加振手段による加振対象となる加振対象セルを選択する加振対象セル選択手段と、
前記電圧制御対象セルに蓄積された電力を前記加振対象セルに取り付けられた加振手段に供給して当該加振手段を稼働させる加振制御手段と、を更に備え、
前記加振対象セル選択手段は、前記電圧制御対象セル以外の電池セルを前記加振対象セルとして選択する、
ことを特徴とする請求項１記載の加振装置。
【請求項３】
前記加振対象セル選択手段は、前記セル電圧が所定の下限電圧以下である電池セルを前記加振対象セルとして選択する、
ことを特徴とする請求項２記載の加振装置。
【請求項４】
前記電池セルは、正極および負極からなる電極体と、電解質を含み前記電極体に含浸された電解液とが容器内に格納され、前記正極および前記負極にそれぞれ接続された電極端子が前記容器の外部に設けられており、
前記加振手段は前記容器の側面下部または底部を加振する、
ことを特徴とする請求項１から３のいずれか１項記載の加振装置。
【請求項５】
前記電池セルは、正極および負極からなる電極体と、電解質を含み前記電極体に含浸された電解液とが容器内に格納され、前記正極および前記負極にそれぞれ接続された電極端子が前記容器の外部に設けられており、
前記加振手段は負側の前記電極端子を加振する、
ことを特徴とする請求項１から３のいずれか１項記載の加振装置。
【請求項６】
前記組電池は、バッテリケース内に複数の前記電池セルが格納されており、
前記加振手段は前記バッテリケースを加振する、
ことを特徴とする請求項１記載の加振装置。
【発明の詳細な説明】
【技術分野】
【０００１】
本発明は、組電池を加振する加振装置に関する。
【背景技術】
【０００２】
従来、モータを駆動源とした電動車において、モータに電力を供給する走行用バッテリとして、リチウムイオン二次電池を電池セルとする組電池が多く使用されている。
このような組電池の電池セルは、正極および負極を備える電極体と、電解質を含む電解液と、電解液を含浸した電極体を格納する容器等からなり、電解質が電極間を移動することにより充放電がなされる。
ここで、電池セルの電解液中の電解質濃度が不均一になると、電極体に形成される表面皮膜が不均一となったり、デンドライトが発生したりして、電池セルの性能が低下する。
このような個々の電池セルの性能低下を回避するため、例えば下記特許文献１では、正極板、負極板、及びこれらの間に介在するセパレータを含む発電要素、及び、この発電要素に含浸され、リチウム塩を含む非水型の電解液、を有するリチウムイオン二次電池と、電解液に振動を加える電解液加振手段と、を備える電池システムが開示されている。
また、下記特許文献２では、電池槽内に正極および負極を配置するとともに電気二重層除去手段としての超音波発生用の振動子を取り付け、振動子により直接正極および負極を振動させて電解液を励起振動させ、電池槽内に保持された電解液と正極および負極の界面に存在する電気二重層を破壊する技術が開示されている。
【０００３】
また、組電池全体の性能低下の一因として、電池セル間の電圧バラつきが挙げられる。
複数の電池セルによって構成される組電池では、充放電をくり返すことで各電池セルの劣化の進み具合が異なり、各電池セルの放電特性が微妙に異なることになる。
このような組電池において各電池セルの性能を最大限発揮できるようにするために、各電池セル間の電圧のズレを修正するセル電圧バランス技術が知られている。
具体的には、たとえば、各電池セルに抵抗を接続して一番電圧が低い電池セルに合わせて他の電池セルを放電させることによって、組電池内の電圧バランスを合わせる方法が知られている（例えば下記特許文献３参照）。
【先行技術文献】
【特許文献】
【０００４】
【特許文献１】特開２０１０−２５１０２５号公報
【特許文献２】特開平６−８４５４４号公報
【特許文献３】特開２００３−２８９６２９号公報
【発明の概要】
【発明が解決しようとする課題】
【０００５】
上述した従来技術では、二次電池中の電解液に振動を加えることにより電解質濃度を均一にしているが、振動の発生にはモータ（特許文献１）や発振機（特許文献２）等、電力を用いて駆動する機器（振動発生装置）が用いられている。
このような振動発生装置の駆動用電力には、振動対象となるリチウムイオン二次電池内の電力、またはこれ以外の電池等の電力が用いられる。ここで、リチウムイオン二次電池が電動車の走行用バッテリとして用いられる場合、航続可能距離を延ばすため、走行用電力以外の電力消費はなるべく抑えることが好ましい。
また、上述した組電池の電圧バランス制御では、性能の低い電池セルに合わせて、性能の高い電池セルに放電を行わせる制御が行われている。このため、本来組電池が使用される目的とは異なる形で電力消費が発生するという課題がある。
【０００６】
本発明は、上述した従来技術の問題点に鑑みてなされたものであり、不要な電力消費を抑えつつ組電池の性能低下を抑制することを目的とする。
【課題を解決するための手段】
【０００７】
上述した問題を解決し、目的を達成するため、請求項１の発明にかかる加振装置は、複数の電池セルで構成される組電池を加振する加振装置であって、それぞれの前記電池セルのセル電圧を検知し、セル電圧が所定の上限電圧以上である電圧制御対象セルを選択する電圧制御対象セル選択手段と、前記電圧制御対象セルに蓄積された電力を用いて前記電池セルに対して振動を加える加振手段と、を備えることを特徴とする。
請求項２の発明にかかる加振装置は、前記加振手段は、それぞれの前記電池セルに個別に取り付けられ、前記加振手段による加振対象となる加振対象セルを選択する加振対象セル選択手段と、前記電圧制御対象セルに蓄積された電力を前記加振対象セルに取り付けられた加振手段に供給して当該加振手段を稼働させる加振制御手段と、を更に備え、前記加振対象セル選択手段は、前記電圧制御対象セル以外の電池セルを前記加振対象セルとして選択する、ことを特徴とする。
請求項３の発明にかかる加振装置は、前記加振対象セル選択手段は、前記セル電圧が所定の下限電圧以下である電池セルを前記加振対象セルとして選択する、ことを特徴とする。
請求項４の発明にかかる加振装置は、前記電池セルは、正極および負極からなる電極体と、電解質を含み前記電極体に含浸された電解液とが容器内に格納され、前記正極および前記負極にそれぞれ接続された電極端子が前記容器の外部に設けられており、前記加振手段は前記容器の側面下部または底部を加振する、ことを特徴とする。
請求項５の発明にかかる加振装置は、前記電池セルは、正極および負極からなる電極体と、電解質を含み前記電極体に含浸された電解液とが容器内に格納され、前記正極および前記負極にそれぞれ接続された電極端子が前記容器の外部に設けられており、前記加振手段は負側の前記電極端子を加振する、ことを特徴とする。
請求項６の発明にかかる加振装置は、前記組電池は、バッテリケース内に複数の前記電池セルが格納されており、前記加振手段は前記バッテリケースを加振する、ことを特徴とする。
【発明の効果】
【０００８】
請求項１の発明によれば、セル電圧が所定の上限電圧以上である電圧制御対象セルの電力を用いて加振手段を駆動する。これにより、組電池内の電池セルに電圧バラつきが生じた場合に、単なる放電によって電力を消費するのではなく、電池セルの振動に電力を使用することができ、電池セル内の電力をより有効に使用することができる。
請求項２の発明によれば、電圧制御対象セル以外の電池セルを加振対象セルとする。電圧制御対象セルは、劣化が進んでいない比較的性能が高い電池セルであり、これ以外の劣化が進んでいる電池セルを加振対象セルとすることによって、電池セル同士の性能バラつきが抑制され、組電池全体の電池性能を向上させることができる。
請求項３の発明によれば、セル電圧が所定の下限電圧以下である電池セルを加振対象セルとして選択する。相対的に電圧が低い電池セルは、劣化が進んだ電池セルであり、このような電池セルを選択して加振することによって、電池セル同士の性能バラつきをより抑制することができる。
請求項４の発明によれば、加振手段によって電池セルの容器の側面下部または底面を加振するので、容器内の電解液の液だまりを効率的に振動させることができ、迅速に電解質濃度を均等にすることができる。
請求項５の発明によれば、加振手段によって電池セルの負側の電極端子を加振するので、電極体の負極に形成されるデンドライトの発生を効率的に抑制することができる。
請求項６の発明によれば、加振手段によって組電池のバッテリケースを加振するので、特定の電池セルのみならず、全ての電池セルが振動され、全ての電池セルにおいて性能低下の抑制が期待できる。
【図面の簡単な説明】
【０００９】
【図１】実施の形態にかかる加振装置１０の構成を示すブロック図である。
【図２】電池セル２０Ａの構成を示す説明図である。
【図３】電池セル２０Ａの構成を示す説明図である。
【図４】電池セル２０Ａの構成を示す説明図である。
【図５】電池セル２０Ａの構成を示す説明図である。
【図６】加振装置１０による電圧バランス制御を模式的に示す説明図である。
【図７】加振手段１０６に対する電力供給経路を模式的に示す説明図である。
【図８】加振装置１０による処理の手順を示すフローチャートである。
【図９】加振手段１０６の取り付け位置の他の例を示す説明図である。
【図１０】加振手段１０６の取り付け位置の他の例を示す説明図である。
【発明を実施するための形態】
【００１０】
以下に添付図面を参照して、本発明にかかる加振装置の好適な実施の形態を詳細に説明する。本実施の形態では、本発明を、電動車を駆動する走行用バッテリとして用いられる組電池を加振する加振装置として用いた例について説明する。
【００１１】
（実施の形態）
図１は、実施の形態にかかる加振装置１０の構成を示すブロック図である。
本実施の形態では、加振装置１０は電動車３０に搭載されており、電動車３０の駆動用電力を蓄電する走行用バッテリ２０を加振する。
電動車３０は、走行用バッテリ２０に蓄電された電力を用いてモータ３０２を駆動してタイヤ３０４を回転させることによって走行する。なお、図示の便宜上、図１にはタイヤ３０４を２つのみ図示しているが、実際は４つのタイヤ３０４が装着されている。
【００１２】
走行用バッテリ２０は、複数の電池セル２０Ａが直列接続された組電池である。
すなわち、加振装置１０は、直列接続された複数の電池セル２０Ａで構成される組電池（走行用バッテリ２０）の電池セル２０Ａを加振する。
このように複数の電池セルを接続することにより、走行用バッテリ２０は高電圧電力の供給を可能としている。
走行用バッテリ２０への充電は、電動車３０の車体外部などに設けられた充電口１０４に外部充電器５０を接続し、外部電力を供給することによって行われる。より詳細には、充電口１０４に接続される外部充電器５０が単相１００Ｖ〜２００Ｖ程度で充電を行う普通充電器である場合には、電動車３０に搭載された車載充電器１０２で充電に適した電圧に昇圧して走行用バッテリ２０に供給する。また、充電口１０４に接続される外部充電器５０が交流〜５００Ｖ程度で充電を行う急速充電器である場合には、充電口１０４から供給された電力をそのまま走行用バッテリ２０に供給する。
なお、図１では充電口１０４を１つのみ図示しているが、通常は普通充電用の充電口と急速充電用の充電口の２つの充電口が設けられる。
【００１３】
また、走行用バッテリ２０への充電は、電動車３０の回生時にも行われる。
すなわち、電動車３０の減速時に生じる回生力を利用してモータ３０２で発電を行い、発電した電力を走行用バッテリ２０に蓄電することによって、走行中も走行用バッテリ２０の充電を行う。
【００１４】
つぎに、走行用バッテリ２０を構成する電池セル２０Ａについて説明する。
図２〜図５は、電池セル２０Ａの構成を示す説明図である。
図２Ａは電池セル２０Ａの外観、図２Ｂは電池セル２０Ａの内部構成を示している。
本実施の形態では、電池セル２０Ａはリチウムイオン二次電池であるものとする。
図２Ｂに示すように、電池セル２０Ａは、電極体２０２と、電極体２０２を収容する矩形板状の容器２０４と、容器２０４に設けられた正負の電極端子２０６，２０８とを含んで構成されている。
電極体２０２には、リチウムイオンを含む電解液が含浸されている。
図３に示すように、電極体２０２は、正極２０２２と、負極２０２４と、２枚のセパレータ２０２６，２０２８とで構成されている。
すなわち、電池セル２０Ａは、正極２０２２および負極２０２４からなる電極体２０２と、リチウムイオンを含む電解液とを備えている。
【００１５】
正極２０２２は、幅よりも大きな長さを有する帯状を呈している。
正極２０２２は、図４に示すように、３層構造であり、厚さ方向の中央に位置する正極集電箔２０２２Ａと、その両面に形成された正極活物質２０２２Ｂとで構成されている。正極集電箔２０２２Ａは不図示の接続部材を介して容器２０４の正側の電極端子２０６に接続されている。
正極集電箔２０２２Ａとしてはアルミニウム箔が用いられ、正極活物質２０２２Ｂとしてはコバルト酸リチウムなどが用いられる。
【００１６】
負極２０２４は、幅よりも大きな長さを有する帯状を呈している。
負極２０２４は、図４に示すように、３層構造であり、厚さ方向の中央に位置する負極集電箔２０２４Ａと、その両面に形成された負極活物質２０２４Ｂとで構成されている。負極集電箔２０２４Ａは不図示の接続部材を介して容器２０４の負側の電極端子２０８に接続されている。
負極集電箔２０２４Ａとしては銅箔が用いられ、負極活物質２０２４Ｂとしては炭素材料などが用いられる。
【００１７】
セパレータ２０２６，２０２８は、幅よりも大きな長さを有する帯状を呈し、リチウムイオンが移動できる多孔質の絶縁フィルムで構成されている。
電極体２０２は、正極２０２２と、負極２０２４とが、セパレータ２０２６，２０２８を介在させて重ね合わされ複数回巻回され、図５に示すように断面が扁平な長円形状を呈している。
具体的には、セパレータ２０２６と、正極２０２２と、セパレータ２０２８と、負極２０２４とがこの順番で重ね合わされ、セパレータ２０２６を外側にし、負極２０２４を内側にして複数回巻回されている。
電極体２０２は、このような状態で容器２０４に格納されている。
【００１８】
ここで、図２Ａに示すようにそれぞれの電池セル２０Ａには、電池セル２０Ａに対して振動を加える加振手段１０６が取り付けられている。
図２Ａの例では、加振手段１０６はそれぞれの電池セル２０Ａの容器２０４の側面下部に取り付けられている。すなわち、加振手段１０６は、それぞれの電池セル２０Ａを個別に加振可能である。
本実施の形態では、加振手段１０６は小型のバイブレータであり、処理部１０８（図１参照）の制御で稼働する。また、加振手段１０６は、走行用バッテリ２０内の所定の電池セル２０Ａ（後述する電圧制御対象電池セル）の電力を用いて稼働する。
なお、加振手段１０６としてはバイブレータの他、従来公知の様々な振動発生装置を用いることができる。
加振手段１０６が稼働（振動）することによって、電池セル２０Ａの各部に振動が伝達される。これにより、電極体２０２に含まれる電解液中の電解質濃度が均一となり、表面皮膜の不均衡やリチウムデンドライトの発生による電池セル２０Ａの性能低下を抑制することができる。
【００１９】
図１の説明に戻り、処理部１０８は、ＣＰＵ、制御プログラムなどを格納・記憶するＲＯＭ、制御プログラムの作動領域としてのＲＡＭ、各種データを書き換え可能に保持するＥＥＰＲＯＭ、周辺回路等とのインターフェースをとるインターフェース部などを含んで構成される。
処理部１０８は、例えば電動車３０全体の制御を司るＥＣＵ（Ｅｌｅｃｔｒｏｎｉｃ  Ｃｏｎｔｒｏｌ  Ｕｎｉｔ）や走行用バッテリ２０の状態を監視して充放電を制御するＢＭＵ（Ｂａｔｔｅｒｙ  Ｍａｎａｇｅｍｅｎｔ  Ｕｎｉｔ）などである。
【００２０】
処理部１０８は、電圧制御対象セル選択手段１０８２と、加振対象セル選択手段１０８４、加振制御手段１０８６とによって構成される。
電圧制御対象セル選択手段１０８２は、それぞれの電池セル２０Ａのセル電圧を検知し、セル電圧が所定の上限電圧以上である電圧制御対象セルを選択する。
電圧制御対象セルとして選択された電池セル２０Ａは、加振手段１０６へと電力を供給する。この結果、電圧制御対象セル内の電力が消費され、電圧制御対象セルのセル電圧が低下する。
【００２１】
上述のように、複数の電池セル２０Ａによって構成される組電池では、充放電をくり返すことで各電池セルの劣化の進み具合が異なり、各電池セルの放電特性が微妙に異なってくる。この結果、各電池セル２０Ａのセル電圧にバラつきが生じて、組電池の性能が低下する。
電圧制御対象セル選択手段１０８２は、このような電圧バラつきを解消するため、所定の上限電圧よりもセル電圧が高い電圧制御対象セルを選択し、放電を行わせることで電池セル２０Ａ間の電圧が均等になるようにしている。
すなわち、電圧制御対象セル選択手段１０８２は、組電池である走行用バッテリ２０の電圧バランサとして機能する。
なお、上記の上限電圧の定め方は任意であるが、例えば複数の電池セル２０Ａのセル電圧の平均値としたり、セル電圧の最小値＋α（αはセル電圧のバラつき度合いによって決まる所定電圧値）などとすることができる。
【００２２】
図６は、加振装置１０による電圧バランス制御を模式的に示す説明図である。
図６には、３つの電池セル、セルＡ、セルＢ、セルＣのセル電圧を棒グラフとして示している。セルＡのセル電圧はＶＡ、セルＢのセル電圧はＶＢ、セルＣのセル電圧はＶＣであり、ＶＡ＜ＶＣ＜ＶＢの順に電圧が高くなっている。
ここで、例えば最も低いセル電圧であるセルＡの電圧ＶＡを上限電圧とした場合、上限電圧を上回るセルＢおよびセルＣから加振手段１０６に電力を供給させ、電圧ＶＡとなるまで放電を行わせる。
また、例えば電圧ＶＡ，ＶＢ，ＶＣの平均値（図６に示す線分Ｎ）を上限電圧とした場合、上限電圧を上回るセルＢから加振手段１０６に電力を供給させ、電圧の平均値となるまで放電を行わせる。
【００２３】
図１の説明に戻り、加振対象セル選択手段１０８４は、加振手段１０６による加振対象となる加振対象セルを選択する。
加振制御手段１０８６は、電圧制御対象セルに蓄積された電力を加振対象セルに取り付けられた加振手段１０６に供給して当該加振手段１０６を稼働させる。
【００２４】
本実施の形態では、加振対象セル選択手段１０８４は、電圧制御対象セル以外の電池セルを加振対象セルとして選択する。
このとき、加振対象セル選択手段１０８４は、例えばセル電圧が所定の下限電圧以下である電池セルを加振対象セルとして選択する。
【００２５】
これは、組電池内の電池セル２０Ａに電圧バラつきが生じる場合、電圧が高い電池セル２０Ａほど性能が高く（劣化度が小さい）、電圧が低い電池セル２０Ａほど性能が低い（劣化度が大きい）ためである。
上述のように、二次電池に振動を加えることによって、電解液内の電解質濃度を均一にして二次電池の性能低下を抑制できることが知られている。このため、電圧が高い電池セル２０Ａ（すなわち電圧制御対象セル）のみを加振対象セルにすると、電圧が低く性能が低い電池セル２０Ａとの間の性能差が更に拡大する可能性がある。
よって、本実施の形態では、電圧制御対象セル以外の電池セル、特に、電圧が低い電池セル２０Ａを加振対象セルにすることによって、劣化が進んだ電圧が低い電池セル２０Ａの更なる性能低下を抑制する。この結果、電池セル間の性能を均一化して、走行用バッテリ２０全体の性能を向上させることができる。
【００２６】
なお、上記の下限電圧の定め方は任意であるが、例えば複数の電池セル２０Ａのセル電圧の平均値としたり、セル電圧の最小値＋β（βは例えばセル電圧のバラつき度合いによって決まる所定電圧値であり、上記αより小さい値である。０でもよい）などとすることができる。
【００２７】
図７は、加振手段１０６に対する電力供給経路を模式的に示す説明図である。
図７には、３つの電池セル２０Ａと処理部１０８とを図示している。
３つの電池セル２０Ａは、それぞれ正側の電極端子２０６と負側の電極端子２０８とが太線で示す配線Ｌ１で接続され、直列接続されている。
また、各電池セル２０Ａの容器２０４には、それぞれ電力を用いて稼働する加振手段１０６が取り付けられている。
また、各電池セル２０Ａの電極端子２０６，２０８からは、処理部１０８へと向かう配線Ｌ２が延びている。
処理部１０８からは、各加振手段１０６へと電力を供給する配線Ｌ３が延びている。
処理部１０８の加振制御手段１０８６（図１参照）内には、配線Ｌ２，Ｌ３間を接続するスイッチが設けられており、このスイッチを切り換えることによって、任意の電池セル２０Ａ内の電力を任意の加振手段１０６へと供給することが可能である。
すなわち、処理部１０８において、上限電圧よりもセル電圧が高い電池セル２０Ａを電圧制御対象セルとして選択するとともに、下限電圧よりもセル電圧が低い電池セル２０Ａを加振対象セルとして選択する。そして、電圧制御対象セルの電力を加振対象セルに取り付けられた加振手段１０６へと供給することにより、電圧制御対象セルに放電させるとともに、加振対象セルを加振することができる。
【００２８】
図８は、加振装置１０による処理の手順を示すフローチャートである。
図８のフローチャートにおいて、加振装置１０は、処理部１０８によって、各電池セルのセル電圧を取得する（ステップＳ８００）。
つぎに、処理部１０８の電圧制御対象セル選択手段１０８２は、電池セル２０Ａ間の電圧バラつきが所定範囲以上か否かを判断する（ステップＳ８０２）。上記所定範囲は、電圧バラつきの許容範囲を示す。
電池セル２０Ａ間のバラつきが所定範囲未満である場合は（ステップＳ８０２：Ｎｏ）、ステップＳ８００に戻り、セル電圧の監視を継続する。
【００２９】
一方、電池セル２０Ａ間の電圧バラつきが所定範囲以上の場合は（ステップＳ８０２：Ｙｅｓ）、セル電圧が上限電圧以上の電池セルを電圧制御対象セルとして選択する（ステップＳ８０４）。
つぎに、加振対象セル選択手段１０８４は、電圧制御対象セル以外の電池セル、例えばセル電圧が下限電圧以下である電池セルを加振対象セルとして選択する（ステップＳ８０６）。
【００３０】
そして、加振制御手段１０８６は、電圧制御対象セルに蓄積された電力を加振対象セルに取り付けられた加振手段１０６に供給して当該加振手段１０６を稼働させる（ステップＳ８０８）。
電圧制御対象セルのセル電圧が上限電圧未満となるまでは（ステップＳ８１０：Ｎｏ）、ステップＳ８０８に戻り加振手段１０６への電力供給を継続する。
そして、電圧制御対象セルのセル電圧が上限電圧未満となると（ステップＳ８１０：Ｙｅｓ）、加振手段１０６への電力供給を停止して加振手段１０６を停止させて（ステップＳ８１２）、本フローチャートによる処理を終了する。
なお、ステップＳ８１０の判断は、それぞれの電圧制御対象セルに対して個別におこなう。すなわち、それぞれの電圧制御対象セルのセル電圧と上限電圧との差分は個々に異なるため、加振手段１０６への電力供給時間もそれぞれ異なることになる。
【００３１】
なお、上述した実施の形態では、加振手段１０６を電池セル２０Ａの容器２０４の側面下部に取り付けた場合について例示した。
しかしながら、加振手段１０６の取り付け位置はこれに限らず、例えば図９に示すように、電池セル２０Ａの電極端子、特に負側の電極端子２０８にしてもよい。
この場合、加振手段１０６によって負側の電極端子２０８が加振されることにより、電極体２０２の負極２０２４に形成されるリチウムデンドライトの発生を効率的に抑制することができる。
なお、加振手段１０６が取り付け位置から離れた場所を振動させる装置である場合には、加振手段１０６の取り付け位置によらず、負側の電極端子２０８を加振させるように適宜調整する。
【００３２】
また、電池セル２０Ａの容器２０４に加振手段１０６を取り付ける際に、図２Ａに示すように容器２０４の側面下部や底面に取り付けるようにすれば、容器２０４内の電解液の液だまりを効率的に振動させることができ、電解質濃度を均等にすることができる。
なお、電池セル２０Ａの容器２０４が横置きにされる場合には、容器２０４の壁面のうち、液だまりができる重力方向側の壁面に加振手段１０６を取り付ける。
また、加振手段１０６が取り付け位置から離れた場所を振動させる装置である場合には、加振手段１０６の取り付け位置によらず、電解液の液だまりができる位置を加振させるように適宜調整する。
【００３３】
また、１つの電池セル２０Ａに対して取り付ける加振手段１０６は１つに限らず複数であってもよい。この場合、例えば電池セル２０Ａの充放電状態や周囲の環境（例えば温度など）によって、いずれも加振手段１０６を稼働させるかを判断してもよい。
【００３４】
また、図２Ａではそれぞれの電池セル２０Ａに加振手段１０６を取り付けているが、これに限らず、例えば数個の電池セル２０Ａ単位で構成される電池モジュールごとに、または走行用バッテリ２０のバッテリケースなどに対して加振手段１０６を取り付けてもよい。
図１０は、走行用バッテリ２０のバッテリケース２０Ｂに加振手段１０６を取り付けた場合の例である。すなわち、図１０では、組電池である走行用バッテリ２０は、バッテリケース２０Ｂ内に複数の電池セル２０Ａが格納されており、加振手段１０６はバッテリケース２０Ｂを加振するように構成されている。
これにより、特定の電池セル２０Ａのみならず、全ての電池セル２０Ａが振動され、全ての電池セル２０Ａにおいて性能低下の抑制が期待できる。
【００３５】
以上説明したように、実施の形態にかかる加振装置１０は、セル電圧が所定の上限電圧以上である電圧制御対象セルの電力を用いて加振手段１０６を駆動する。これにより、組電池である走行用バッテリ２０内の電池セル２０Ａに電圧バラつきが生じた場合に、単なる放電によって電力を消費するのではなく、電池セル２０Ａの振動に電力を使用することができ、電池セル２０Ａ内の電力をより有効に使用することができる。
また、加振装置１０は、電圧制御対象セル以外の電池セル２０Ａを加振対象セルとする。電圧制御対象セルは、劣化が進んでいない比較的性能が高い電池セル２０Ａであり、これ以外の劣化が進んでいる電池セル２０Ａを加振対象セルとすることによって、電池セル同士の性能バラつきが抑制され、組電池全体の電池性能を向上させることができる。
また、加振装置１０は、セル電圧が所定の下限電圧以下である電池セル２０Ａを加振対象セルとして選択する。相対的に電圧が低い電池セル２０Ａは、劣化が進んだ電池セルであり、このような電池セル２０Ａを選択して加振することによって、電池セル同士の性能バラつきをより抑制することができる。
また、加振装置１０において、加振手段１０６によって電池セル２０Ａの容器２０４の側面下部または底面を加振するようにすれば、容器２０４内の電解液の液だまりを効率的に振動させることができ、迅速に電解質濃度を均等にすることができる。
また、加振装置１０において、加振手段１０６によって電池セル２０Ａの負側の電極端子２０８を加振するようにすれば、電極体２０２の負極２０２４に形成されるリチウムデンドライトの発生を効率的に抑制することができる。
また、加振装置１０において、加振手段１０６によって走行用バッテリ２０のバッテリケース２０Ｂを加振するので、特定の電池セル２０Ａのみならず、全ての電池セル２０Ａが振動され、全ての電池セル２０Ａにおいて性能低下の抑制が期待できる。
【００３６】
なお、上述した実施形態では、走行用バッテリ２０は、複数の電池セル２０Ａが直列接続された組電池としたが、これに限定されるものではなく、複数の電池セル２０Ａが並列接続を含んで接続された組電池であってもよい。
【符号の説明】
【００３７】
１０……加振装置、１０２……車載充電器、１０４……充電口、１０６……加振手段、１０８……処理部、１０８２……電圧制御対象セル選択手段、１０８４……加振対象セル選択手段、１０８６……加振制御手段、２０……走行用バッテリ、２０Ａ……電池セル、２０Ｂ……バッテリケース、２０２……電極体、２０４……容器、２０６，２０８……電極端子、３０……電動車、３０２……モータ、３０４……タイヤ。
【図１】
2015185501.tif 000003
【図２】
2015185501.tif 000004
【図３】
2015185501.tif 000005
【図４】
2015185501.tif 000006
【図５】
2015185501.tif 000007
【図６】
2015185501.tif 000008
【図７】
2015185501.tif 000009
【図８】
2015185501.tif 000010
【図９】
2015185501.tif 000011
【図１０】
2015185501.tif 000012